(57)【特許請求の範囲】
【請求項１】
電話機能とファクシミリ機能とを備える通信装置において、
回線を介して送られてくる所定信号を識別する識別手段と、
電話機能による通話が保留状態であることを、所定保留音の信号を含む所定報知信号が繰り返し出力されることに基づき判断する判断手段とを備え、
その判断手段が保留状態であると判断した場合、前記識別手段による前記所定信号の識別を行わないことを特徴とする通信装置。
【請求項２】
前記所定報知信号により保留状態にされたことを報知する報知手段を有し、
前記判断手段は、その報知手段からの前記所定報知信号に基づいて、電話機能による通話が保留状態であると判断することを特徴とする請求項１に記載の通信装置。
【請求項３】
前記電話機能とファクシミリ機能は、１つの装置内に収容されており、
前記所定報知信号は、装置上に設けられる通話保留キーが操作されたタイミングで出力される保留指示信号であり、
前記判断手段は、その保留指示信号を検出することにより、電話機能による通話が保留状態であることを判断することを特徴とする請求項１もしくは２に記載の通信装置。
【請求項４】
前記電話機能とファクシミリ機能は別体の装置として構成され、かつ１つの回線を共用しており、
前記所定報知信号は、前記電話機能を有する装置において保留期間中に繰り返し出力される所定保留音の信号、もしくは回線を介して相手側装置から送出される所定保留音の信号であり、
前記判断手段は、前記所定保留音の信号をモニタすることにより、電話機能による通話が保留状態であることを判断することを特徴とする請求項１もしくは２に記載の通信装置。
【請求項５】
電話機能とファクシミリ機能とを備える通信装置において、
回線を介して送られてくる所定信号を識別する識別手段と、
所定保留音の信号を出力することにより、電話機能による通話の保留状態を報知する報知手段と、
電話機能による通話が保留状態にあることを、所定保留音の信号を含む所定報知信号が繰り返し出力されることに基づき判断する判断手段とを備え、
前記判断手段が保留状態であると判断した場合、前記報知手段による所定保留音の信号成分を除去した上で前記識別手段による前記所定信号の識別を行うようにすることを特徴とする通信装置。
【請求項６】
前記識別手段により識別される所定信号は、ファクシミリ制御信号を含むことを特徴とする請求項１乃至５のいずれかに記載の通信装置。
【発明の詳細な説明】
【０００１】
【発明の属する技術分野】
本発明は、ファクシミリ機能と電話機能が一体化された通信装置、あるいはファクシミリ装置に電話装置を外付け、並列接続されてなる通信装置に関し、特に、電話機能の通話保留状態における保留音を誤ってＣＮＧ信号等の制御信号として誤検出してしまうことを防止できる通信装置に関するものである。
【０００２】
【従来の技術】
従来より、発呼者との通話に加えて、ファクシミリデータも受信可能な通信装置が知られている。かかる通信装置は、電話機能とファクシミリ機能とが一体となって１つの装置を構成するものや、ファクシミリ装置に予め設けられている取付部に対して別体の電話装置を接続することによりファクシミリ装置を介して電話装置を回線と接続する、いわゆる外付け形式、さらには、１つの回線をファクシミリ装置と電話装置とで兼用する、並列接続形式等があり、これらは、ファクシミリデータの通信に関わる制御信号であるＣＮＧ信号等を検出した際には、回線との接続をファクシミリ機能部分に切り替えることにより通話及びファクシミリデータの受信を実現している。
【０００３】
【発明が解決しようとする課題】
しかしながら、前記従来の通信装置においては、上記ＣＮＧ信号等の検出は常時行われている。また、これとは別に電話機能の持つ機能として、通話の保留状態においては、通常、特定のメロディーを流すことにより相手側に保留状態であることを知らせることが一般的である。このような状態で、保留音のメロディー中にＣＮＧ信号等の周波数成分が混入する可能性がある。即ち、ＣＮＧ信号は１１００Ｈｚで０．５秒間オン、３秒間オフの信号であるが、多様化する保留音のメロディー中にこの周波数成分が混入することは十分に可能性がある。
【０００４】
このような場合、通信装置が保留音の中からたまたまＣＮＧ信号等と同様の周波数を検出すると、誤ってファクシミリデータの着信処理に移行してしまう。そして、その後に保留状態を解除しても通話が回復できないという虞がある。
【０００５】
本発明は、前記従来の問題を解決するためになされたものであり、電話機能の保留期間中に流される保留音のメロディーをＣＮＧ信号等として誤検出することなく、保留中に誤ってファクシミリ機能部分に回線の接続が切り替えられ、その後に保留を解除しても通話が回復できなくなることを防止可能であり、もって良好な通話を確保しながらファクシミリデータにも対応できる通信装置を提供することを目的とする。
【０００６】
【課題を解決するための手段】
前記目的を達成するため請求項１に係る通信装置は、電話機能とファクシミリ機能とを備える通信装置において、回線を介して送られてくる所定信号を識別する識別手段と、電話機能による通話が保留状態であることを、所定保留音の信号を含む所定報知信号が繰り返し出力されることに基づき判断する判断手段とを備え、その判断手段が保留状態であると判断した場合、識別手段による所定信号の識別を行わないことを特徴とする。
【０００７】
請求項１の通信装置によれば、判断手段により電話機能による通話が保留状態にあることが判断されると、識別手段は、回線を介して送られてくる所定信号の識別を行わない。これにより、保留中に誤って所定信号を誤検出してしまうことはなく、誤動作を防止して安定した通信を確保することができる。
この場合、所定報知信号は所定保留音の信号を含んでおり、判断手段により、電話機能による通話が保留期間中であることが所定保留音の信号に基づいて確実に判断されるので、識別手段が回線を介して送られてくる所定信号の識別を行わないようにする制御を確実に行うことができ、保留期間中に信号を誤検出してしまうことを防止することができる。
【０００８】
また、請求項２に係る通信装置は、請求項１に記載の通信装置において、所定報知信号により保留状態にされたことを報知する報知手段を有し、判断手段は、その報知手段からの所定報知信号に基づいて、電話機能による通話が保留状態であると判断することを特徴とする。
【０００９】
請求項２の通信装置によれば、報知手段からの所定報知信号により、判断手段が、電話機能による通話が保留状態にあると判断すると、識別手段は回線を介して送られてくる所定信号の識別を行わない。これにより、報知手段からの所定報知信号に基づいて保留状態にされたことが確実に判断されるので、識別手段が回線を介して送られてくる所定信号の識別を行わないようにする制御を確実に行うことができ、保留状態中の所定信号の誤検出を確実に防止することができる。
【００１０】
【００１１】
【００１２】
また、請求項３に係る通信装置は、請求項１もしくは２に記載の通信装置において、電話機能とファクシミリ機能は、１つの装置内に収容されており、所定報知信号は、装置上に設けられる通話保留キーが操作されたタイミングで出力される保留指示信号であり、判断手段は、その保留指示信号を検出することにより、電話機能による通話が保留状態であることを判断することを特徴とする。
【００１３】
請求項３の通信装置によれば、電話機能とファクシミリ機能が１つの装置内に収容されており、装置上に設けられる通話保留キーが操作されたタイミングで出力される保留指示信号を検出することにより、判断手段が、電話機能による通話が保留状態であることを判断する。これにより、電話機能とファクシミリ機能が１つの装置内に収容される場合、操作パネル及びそこからの信号が入力される制御系は両機能により共通化されるのが一般的であるため、ユーザが保留を目的として操作パネル上に設けられる通話保留キーを操作したか否かについても、制御系に入力される保留指示信号により簡便、かつ確実に判断することができる。従って、この保留指示信号に基づけば通話が保留状態であることを正確に判断することができるので、識別手段が回線を介して送られてくる所定信号の識別を行わないようにする制御を確実に行うことができ、この期間中に信号を誤検出してしまうことを防止することができる。
【００１４】
また、請求項４に係る通信装置は、請求項１もしくは２に記載の通信装置において、電話機能とファクシミリ機能は別体の装置として構成され、かつ１つの回線を共用しており、所定報知信号は、電話機能を有する装置において保留期間中に繰り返し出力される所定保留音の信号、もしくは回線を介して相手側装置から送出される所定保留音の信号であり、判断手段は、所定保留音の信号をモニタすることにより、電話機能による通話が保留状態であることを判断することを特徴とする。
【００１５】
請求項４の通信装置によれば、電話機能とファクシミリ機能が、１つの回線を共用しながら別体の装置であり、保留期間中に電話機能を有する装置から繰り返し出力される所定保留音の信号や、回線を介して相手側装置から送出される所定保留音の信号を、所定報知信号としてモニタすることにより、判断手段が、電話機能による通話が保留状態であることを判断する。これにより、電話機能とファクシミリ機能とが別体である場合、ファクシミリ機能を有する装置の側には、電話機能を有する装置における通話が保留状態となったことを、電話機能を有する装置上の通話保留キーの操作からは判断できないが、保留期間中に回線に対して出力されている所定保留音の信号、あるいは回線を介して相手側装置から送出される所定保留音の信号をモニタすることができる。従って、この所定保留音の信号に基づけば、別体の電話機能の通話が保留状態であることを正確に判断することができるので、識別手段が、回線を介して送られてくる所定信号の識別を行わないようにする制御を確実に行うことができ、この期間中に信号を誤検出してしまうことを防止することができる。
【００１６】
また、請求項５に係る通信装置は、電話機能とファクシミリ機能とを備える通信装置において、回線を介して送られてくる所定信号を識別する識別手段と、所定保留音の信号を出力することにより、電話機能による通話の保留状態を報知する報知手段と、電話機能による通話が保留状態にあることを、所定保留音の信号を含む所定報知信号が繰り返し出力されることに基づき判断する判断手段とを備え、判断手段が保留状態であると判断した場合、報知手段による所定保留音の信号成分を除去した上で識別手段による所定信号の識別を行うようにすることを特徴とする。
【００１７】
請求項５の通信装置によれば、判断手段が電話機能による通話は保留状態であると判断すると、識別手段は回線を介して送られてくる信号から報知手段による所定保留音の信号成分を除去した上で所定信号の識別を行う。これにより、電話機能による通話が保留状態であることを知らせる所定保留音が送出される保留期間中においても、回線を介して送られてくる所定信号を認識することができる。
この場合、所定報知信号は所定保留音の信号を含んでおり、判断手段により、電話機能による通話が保留期間中であることが所定保留音の信号に基づいて確実に判断されるので、識別手段が回線を介して送られてくる所定信号の識別を行わないようにする制御を確実に行うことができ、保留期間中に信号を誤検出してしまうことを防止することができる。
【００１８】
また、請求項６に係る通信装置は、請求項１乃至５のいずれかに記載の通信装置において、識別手段により識別される所定信号は、ファクシミリ制御信号を含むことを特徴とする。
【００１９】
請求項６の通信装置によれば、ファクシミリ制御信号の検出を行わない、あるいは保留状態の間に出力される所定保留音の信号等を除去した上でファクシミリ制御信号の検出を行うので、例えば、保留状態の間に出力される所定保留音の信号をファクシミリ制御信号と誤検出し、電話機能からファクシミリ機能に強制的に移行するような誤動作を防止でき、ファクシミリ通信の信頼性を高めることができる。
【００２０】
【発明の実施の形態】
以下、本発明に係る通信装置をファクシミリ機能と電話機能とを一体化させた装置について具体化した実施形態を図面を参照しつつ詳細に説明する。先ず、本実施形態に係る通信装置の概略構成について図１に基づき説明する。図１は本実施形態に係る通信装置の外観斜視図である。
【００２１】
図１において、通信装置１は装置本体２を有し、装置本体２の右側面には、電源コード３及び子機（図示せず）と通話するためのアンテナ４が付設されている。また、装置本体２の上面には操作パネルユニット５が配設されており、かかる操作パネルユニット５には液晶ディスプレイ６が配設され、更に、各種のキー群が配設されている。尚、各キーについては後述する。
【００２２】
また、操作パネルユニット５の後方位置には原稿となる用紙を積層した状態でスタックする用紙スタッカ７が設けられており、更に、用紙スタッカ７の後方位置には用紙サポート８が配置されている。尚、装置本体２の左側には受話器載置部９が設けられており、受話器載置部９上には受話器１０が載置される。
【００２３】
次に、前記操作パネルユニット５上に配置されたキー群の機能について図２に基づき説明する。図２は本実施形態に係る通信装置１の操作パネルユニット５の平面図である。図２において、操作パネルユニット５上で左側位置には、ダイアル入力を行うためのダイアルキー１１が配置されている。かかるダイアルキー１１には、「０」乃至「９」の数値キー、アスタリスクキー１２、及びシャープキー１３が包含されている。また、操作パネルユニット５のダイアルキー１１の左側には、各種機能を選択するための機能ボタン１６等が設けられており、保留ボタンもここに配置されている。更に、操作パネルユニット５の右側下方には、ファクシミリ送信をスタートするスタートキーＰ、及びファクシミリ送信等を停止させる停止ボタン１５等の通信装置１として必要な各種のキーが配置されている。
【００２４】
続いて、前記通信装置１の制御系について図３に基づき説明する。図３は本実施形態に係る通信装置１の制御系を示すブロック図である。図３において、通信装置１の制御系は、ＣＰＵを核として構成された制御部１７を有し、電話機能部分とファクシミリ機能部分とを統合制御するものである。制御部１７には、ファクシミリ機能を実現するＦＡＸ部２１、液晶ディスプレイ（ＬＣＤ）６を有する操作パネルユニット５が接続されると共に、読み出し専用の不揮発性メモリとしてのＲＯＭ１８、揮発性メモリであるＲＡＭあるいは書換可能な不揮発性メモリであるフラッシュメモリ等の一時記億メモリ１９が接続されている。ここに、ＲＯＭ１８には、通信装置１の電話機能部分である通話制御、パネルユニット５から入力される各種機能制御、ファクシミリ機能部分である読み取り動作及び記録動作、更に、回線の切り替え制御等の各種基本動作制御用プログラムの他、後述（図４乃至図６参照）する保留時のＣＮＧ信号等の誤検出防止用プログラムが格納されている。また、一時記憶メモリ１９には、ファクシミリ機能による送信用・受信用の画像データ、電話機能による留守番電話のメッセージが記憶される他、本装置から回線上に送出されている保留音及び同時期に回線を介して送信されてくる信号を一時的に記憶する保留音データメモリ１９Ａを有している。
【００２５】
また、制御部１７は、ＮＣＵ（ Network Control Unit ）２４を制御しており、このＮＣＵ２４を介して外部回線２５と接続されている。ＮＣＵ２４には、電話機能を実現するための受話器１０及び上記ＦＡＸ部２１が接続されており、外部回線２５を介して送られてくる制御信号や、操作パネルユニット５からの信号に応じて、制御部１７が、電話機能あるいはファクシミリ機能を選択して制御する。ここで、受話器１０は相手との通話をするためのものであり、ＦＡＸ部２１は、ＦＡＸデータの送受信を行うものであり、用紙スタッカ７から装置本体２内に送給された原稿の文字、図形等を読み取るための読取スキャナ（図示せず）を含む読取ユニット２０や回線２５を介して受信された画像データを記録紙上に印字する印字ヘッド（図示せず）を含む記録ユニット２２等が備えられている。
【００２６】
外部回線２５からの着信をＮＣＵ２４を介して制御部１７が検出すると呼出音を鳴動させ、これに応じてユーザが受話器１０をオフフックすると、外部回線２５と接続されて（回線閉結）、発呼側との音声のやりとり、即ち通話を確立することができる。ここで、通話を保留状態にするときには、操作ユニットパネル５の保留ボタン１６を押下すれば、予め登録された保留状態を表すメロディー等が制御部１７から外部回線２５に送出され保留状態になると共に、受話器１０においてもメロディー等を確認することができる。また、受話器１０をオフフックした際に相手の音声でなく発呼側からのファクシミリデータを送信することを示す信号音が聞こえた場合には、例えば、ユーザがプッシュボタン（以下、ＰＢと略記する。）を押下することによりＦＡＸ受信が指令されれば、制御部１７はＮＣＵ２４及びＦＡＸ部２１を制御して、ＦＡＸ部２１によりＦＡＸ受信を確立する。更に、外部回線２５からのＣＮＧ信号等を自動的に検出する機能を持つ通信装置１においては、信号検出により制御部１７がＮＣＵ２４を制御して自動接続し、ＦＡＸ部２１によりＦＡＸ受信を確立する。
【００２７】
次に、上記のように構成される通信装置１の電話機能による保留中においてＰＢ信号やＣＮＧ信号を誤検出させない具体的方法につき、図４乃至図６に基づき説明する。
図４に示す第１具体例では、電話機能による通話開始後、ステップ（以下、Ｓと略記する。）７において通話は保留状態であるか否かを判断する。この判断は、例えば、操作ユニットパネル５の保留ボタン１６が押下されたか否かを保留ボタン１６の押下に伴って出力される保留指示信号を制御部１７が検出することにより行うことができる。保留状態でなければ（Ｓ７：ＮＯ）、ＰＢ信号を検出し（Ｓ８：ＹＥＳ）その信号がＦＡＸ受信を指示するリモートコードに一致すれば（Ｓ９：ＹＥＳ）、ＦＡＸ受信を実行する（Ｓ１２）。また、ＰＢ信号を検出せず（Ｓ８：ＮＯ）、あるいはＰＢ信号を検出はしたがリモートコードとは一致しない場合（Ｓ８：ＹＥＳ、Ｓ９：ＮＯ）には、ＣＮＧ信号の検出を行う（Ｓ１０）。ここでＣＮＧ信号を検出すれば（Ｓ１０：ＹＥＳ）、ＦＡＸ受信を実行し（Ｓ１２）、ＣＮＧ信号を検出せず（Ｓ１０：ＮＯ）、通話が継続していれば（Ｓ１１：ＮＯ）Ｓ７に戻り、以上の処理を繰り返す。通話終了であれば（Ｓ１１：ＹＥＳ）通話を終了して処理は終わる。
【００２８】
一方、操作ユニットパネル５の保留ボタン１６が押下されたことを制御部１７が検出すると、通話が保留状態にあると判断され（Ｓ７：ＹＥＳ）、通話保留時のＣＮＧ信号検出の処理（Ｓ１３）を行う。同処理は図６に示すように、外部回線２５から送出されてくる信号及び本装置から回線に送出している信号を保留音データメモリ１９Ａに記憶し、本装置において予め登録されている保留時に送出するメロディー等の保留音信号の成分を除去する（Ｓ１４）。保留音成分の信号を除去した残りの信号成分からＣＮＧ信号を検出すれば（Ｓ１５：ＹＥＳ）、ＦＡＸ受信を実行し（Ｓ１６）、ＣＮＧ信号を検出しなければ（Ｓ１５：ＮＯ）、図４に戻り、通話終了を判断する処理（Ｓ１１）を行う。
【００２９】
図５に示す本実施形態の第２具体例では、電話機能、ＦＡＸ機能の一体化された装置ではなく、ファクシミリ装置に並列に接続された電話機あるいは外付け接続された電話機にて通話中の場合に対応できるものである。ここで、並列接続とは、別体の電話機を外部回線２５にファクシミリ装置のＮＣＵ等の制御装置を介さず直接に接続するものであり、並列接続された装置はいずれも常時回線信号を検出することができる。外付け接続とは、ファクシミリ装置のＮＣＵ等の制御装置を介して別体の電話装置を外部回線２５に接続するものであり、回線からの制御信号に応じてあるいはＰＢ信号等の入力に応じて制御部１７により制御されて外部回線２５との接続を切り替えることができるものである。並列、あるいは外付け接続する電話機は、本実施形態の通信装置１である必要はなく、保留音を出力できるものであれば利用することができる。
【００３０】
通話開始後、Ｓ１において通話は保留状態であるか否かを判断する。第１具体例の場合とは異なり、外付け接続あるいは並列接続の電話装置での保留ボタンの押下をファクシミリ機能の側では検出できないため、ここでは、回線２５に対して送出される保留音により保留状態を判断し、発呼側、着呼側のいずれの側からの送出でも判断できる。この判断は、例えば、回線信号をモニタすることにより、保留状態を表すメロディーであると判断できる信号パターンが一定の間隔で繰り返し検出されることにより行う。具体的には、無音期間を一区切りとして回線より検出される信号を順次、保留音データメモリ１９Ａに記憶し、連続する２つの信号列を比較することにより一致、不一致を判断する。一致すれば同一の回線信号が繰り返し送出されており、回線に保留音を表すメロディーが送出されて通話は保留状態であると判断する。
【００３１】
通話が保留中でなければ（Ｓ１：ＮＯ）、ＰＢ信号を検出し（Ｓ２：ＹＥＳ）その信号がリモートコードに一致すれば（Ｓ３：ＹＥＳ）、ＦＡＸ受信を実行する（Ｓ６）。また、ＰＢ信号を検出せず（Ｓ２：ＮＯ）、あるいは検出はしたがリモートコードとは一致しない場合（Ｓ２：ＹＥＳ、Ｓ３：ＮＯ）には、ＣＮＧ信号の検出を行う（Ｓ４）。ここで、ＣＮＧ信号を検出すれば（Ｓ４：ＹＥＳ）、ＦＡＸ受信を実行し（Ｓ６）、ＣＮＧ信号を検出せず（Ｓ４：ＮＯ）、通話が継続していれば（Ｓ５：ＮＯ）Ｓ１に戻り、以上の処理を繰り返す。通話終了であれば（Ｓ５：ＹＥＳ）通話を終了して処理は終わる。
【００３２】
一方、回線２５上に無音期間を一区切りとして、同じ信号が繰り返し送出されていることを制御部１７が検出すると、通話が保留状態にあると判断される（Ｓ１：ＹＥＳ）。この場合には、ＰＢ信号及びＣＮＧ信号の検出は行わず、通話終了を判断する処理（Ｓ５）を行い、通話が継続していれば（Ｓ５：ＮＯ）Ｓ１に戻り、以上の処理を繰り返し、通話終了であれば（Ｓ５：ＹＥＳ）通話を終了して処理は終わる。
【００３３】
以上詳細に説明したように、本実施形態の通信装置１は、通話の保留中においては、保留期間中に流される保留音のメロディをＣＮＧ信号等のファクシミリ制御信号やＰＢ信号・ＦＮＥＴ等の１３００Ｈｚ信号などその他の制御信号として誤検出することがないので、通話の保留中にファクシミリデータの着信処理等の誤動作を開始してしまうことはなく、安定した通話状態を保持することができる。
【００３４】
このように、ＦＡＸ機能と電話機能が内蔵されているタイプの通信装置１にて通話中の場合には、操作ユニットパネル５の保留ボタン１６が押下されて保留状態とされると、保留ボタン１６の押下を制御部１７が検出することにより保留状態にあることを検出することができる。更に、ファクシミリ装置に並列に接続された電話機あるいは外付け接続された電話機にて通話中の場合や、通話相手が保留状態にした場合には、回線２５上に送出される保留音信号をモニタすることにより一定の間隔で同じ信号パターンが繰り返し検出されれば、外部回線２５が保留状態にあることを判断できるので、あらゆる電話機からの保留音に対しても確実に保留状態を検出して通話状態を保持することができる。
【００３５】
更に、自らが通話を保留状態にして保留音を送出している場合には、回線２５から送出されてくる信号から保留音成分を除去して信号検出をすることができるので、保留中に保留音をＣＮＧ信号やＰＢ信号等の制御信号として誤検出してしまうことがないと共に、通話相手からのＣＮＧ信号やＰＢ信号等の制御信号を確実に検出することができ、保留中であってもファクシミリデータの受信やその他の制御処理を受け付けることが可能である。
【００３６】
尚、本発明は本実施形態に限定されるものではなく、本発明の主旨を逸脱しない範囲内で種々の改良、変形が可能であることはもちろんである。例えば、本実施形態においては、並列あるいは外付け接続の電話機を使用しているときの保留状態の報知、又は発呼側の保留状態の報知は、メロディー等の保留音により行うが、メロディーに先立ち一定の制御信号を送出するようにすれば、より簡便且つ確実に保留状態を検出することができる。
また、電話機能とファクシミリ機能とが一体化されている装置で、更に、コードレス子機が備えられている場合は、コードレス子機に設けられる保留ボタンの押下は本体側に無線の信号で伝えられるため、この信号を検出することで通話が保留となったことを確認できる。
【００３７】
【発明の効果】
以上説明したとおり、請求項１の通信装置では、判断手段により電話機能による通話が保留状態にあることを判断すると、識別手段は回線を介して送られてくる所定信号の識別を行わないので、保留中に誤って所定信号を誤検出してしまうことはなく、誤動作を開始を防止して安定した通信を行うことができる。
この場合、電話機能による通話が保留期間中であることが所定保留音の信号に基づいて確実に判断されるので、識別手段が回線を介して送られてくる所定信号の識別を行わないようにする制御を確実に行うことができ、保留期間中に信号を誤検出してしまうことを防止することができる。
【００３８】
請求項２の通信装置では、報知手段からの所定報知信号により、判断手段が、電話機能による通話が保留状態にあると判断すると、識別手段は回線を介して送られてくる所定信号の識別を行わないので、保留状態にされたことが確実に判断され、識別手段が回線を介して送られてくる所定信号の識別を行わないようにする制御を確実に行うことができ、保留状態中の所定信号の誤検出を確実に防止することができる。
【００３９】
【００４０】
請求項３の通信装置では、電話機能とファクシミリ機能が１つの装置内に収容されて、通話保留キーの操作タイミングで出力される保留指示信号を検出することにより、電話機能による通話が保留状態であることを判断するので、電話機能とファクシミリ機能が１つの装置内に収容される場合、操作パネル及びそこからの信号が入力される制御系は両機能により共通化されるのが一般的であるため、ユーザが保留を目的として操作パネル上に設けられる通話保留キーを操作したか否かについても、制御系に入力される保留指示信号により簡便、かつ確実に判断することができる。従って、この保留指示信号に基づけば通話が保留状態であることを正確に判断することができるので、識別手段が回線を介して送られてくる所定信号の識別を行わないようにする制御を確実に行うことができ、所定信号を誤検出してしまうことを防止することができる。
【００４１】
請求項４の通信装置によれば、電話機能とファクシミリ機能が、１つの回線を共用しながら別体の装置であり、電話機能を有する装置から繰り返し出力される所定保留音の信号や、回線を介して相手側装置から送出される所定保留音の信号を、モニタすることにより、電話機能による通話が保留状態であることを判断するので、電話機能とファクシミリ機能とが別体である場合、ファクシミリ機能を有する装置の側には、電話機能を有する装置における通話が保留状態となったことを、電話機能を有する装置上の通話保留キーの操作からは判断できないが、保留期間中に回線に対して出力されている所定保留音の信号、あるいは回線を介して相手側装置から送出される所定保留音の信号をモニタすることができる。従って、この所定保留音の信号に基づけば、別体の電話機能の通話が保留状態であることを正確に判断することができるので、識別手段が、回線を介して送られてくる所定信号の識別を行わないようにする制御を確実に行うことができ、この期間中に信号を誤検出してしまうことを防止することができる。
【００４２】
請求項５の通信装置によれば、判断手段が電話機能による通話が保留状態にあると判断すると、識別手段は回線を介して送られてくる信号から所定保留音の信号成分を除去した上で所定信号の識別を行うので、電話機能による通話が保留状態であることを知らせる所定保留音が送出されている保留期間中においても、回線を介して送られてくる所定信号を認識することができる。
【００４３】
請求項６の通信装置によれば、ファクシミリ制御信号の検出を行わない、あるいは保留状態の間に出力される所定保留音の信号等を除去した上でファクシミリ制御信号の検出を行うので、例えば、保留状態の間に出力される所定保留音の信号をファクシミリ制御信号と誤検出し、電話機能からファクシミリ機能に強制的に移行するような誤動作を防止でき、ファクシミリ通信の信頼性を高めることができる。
【図面の簡単な説明】
【図１】  本実施形態に係る通信装置の外観斜視図である。
【図２】  通信装置の操作パネルユニットの平面図である。
【図３】  通信装置の制御系を示すブロック図である。
【図４】  ＦＡＸ機能付通信装置が通話保留状態になった場合の処理を表すフローチャートである。
【図５】  並列、あるいは外付け電話機が通話保留状態になった場合の通信装置の処理を表すフローチャートである。
【図６】  図４における通話保留時のＣＮＧ信号を検出する処理を表すフローチャートである。
【符号の説明】
１      通信装置
２      装置本体
５      操作パネルユニット
１０    受話器
１１    ダイアルキー
１６    機能ボタン
１７    制御部
１９Ａ  保留音データメモリ
２１    ＦＡＸ部
２４    ＮＣＵ
２５    外部回線
【図１】
0004380009.tif 000002
【図２】
0004380009.tif 000003
【図３】
0004380009.tif 000004
【図４】
0004380009.tif 000005
【図５】
0004380009.tif 000006
【図６】
0004380009.tif 000007